(57)【要約】【解決手段】  薬品管理システムであって、薬品に取り付けられるＩＣタグと、前記薬品を収納し、前記ＩＣタグの情報を読み取る薬品収納ボックスと、前記薬品収納ボックスから前記ＩＣタグの情報を取得して前記薬品を管理する制御装置と、前記薬品を保冷するために、前記薬品収納ボックスを収納する薬品保冷庫と、を備える。
2020031499.tif 000002
【特許請求の範囲】
【請求項１】
薬品に取り付けられるＩＣタグと、
前記薬品を収納し、前記ＩＣタグの情報を読み取る薬品収納ボックスと、
前記薬品収納ボックスから前記ＩＣタグの情報を取得して前記薬品を管理する制御装置と、
前記薬品を保冷するために、前記薬品収納ボックスを収納する薬品保冷庫と、
を備えたことを特徴とする薬品管理システム。
【請求項２】
前記薬品収納ボックスは、前記ＩＣタグの情報を受信するアンテナを含み、
前記制御装置は、前記アンテナによって受信された前記ＩＣタグの情報を取得する
ことを特徴とする請求項１に記載の薬品管理システム。
【請求項３】
前記薬品収納ボックスは、前記ＩＣタグと情報を送受信するアンテナを含み、
前記制御装置は、前記アンテナを介して前記ＩＣタグと情報を送受信する
ことを特徴とする請求項１に記載の薬品管理システム。
【請求項４】
前記制御装置は、前記ＩＣタグの情報の取得状況に基づいて、前記薬品の入庫の有無を判定する
ことを特徴とする請求項１乃至３の何れか一項に記載の薬品管理システム。
【請求項５】
前記制御装置は、前記ＩＣタグの情報の取得状況と、前記薬品保冷庫の扉の開閉状況と、に基づいて、前記薬品の入庫の有無を判定する
ことを特徴とする請求項１乃至３の何れか一項に記載の薬品管理システム。
【請求項６】
前記制御装置は、前記薬品保冷庫の扉が閉じた後、前記ＩＣタグの情報の取得状況に基づいて、前記薬品の入庫の有無を判定する
ことを特徴とする請求項５に記載の薬品管理システム。
【請求項７】
前記制御装置は、前記薬品保冷庫の扉を開いてから閉じるまでの間に前記薬品保冷庫に入庫した前記薬品を、前記ＩＣタグの情報を取得することによって一括で確定する
ことを特徴とする請求項６に記載の薬品管理システム。
【請求項８】
前記薬品保冷庫は、前記薬品収納ボックスを複数収納し、
前記薬品収納ボックスは、
前記薬品を収納する収納部と、
前記収納部を囲む複数の平板のうち、少なくとも１つの平板に取り付けられ、前記収納部に収納された前記薬品に取り付けられている前記ＩＣタグの情報を受信するアンテナと、を含み、
前記制御装置は、
複数収納されている前記薬品収納ボックスのそれぞれに対して、前記アンテナから前記ＩＣタグの情報を取得し、複数の前記薬品収納ボックスから同一の前記ＩＣタグの情報を同時に取得した場合、前記ＩＣタグを有する前記薬品が実際に収納されている前記薬品収納ボックスを特定する
ことを特徴とする請求項１に記載の薬品管理システム。
【請求項９】
前記薬品収納ボックスは、
第１側面板及び前記第１側面板と対向する第２側面板を含み、前記薬品を収納する収納部と、
前記第１側面板に向かって電波を発信するように前記第２側面板に取り付けられ、前記収納部に収納された前記薬品に取り付けられている前記ＩＣタグの情報を受信するアンテナと、を含み、
前記薬品保冷庫は、
一の前記薬品収納ボックスにおける前記第１側面板と他の前記薬品収納ボックスにおける前記第２側面板とが隣り合うように、前記薬品収納ボックスを複数収納し、
前記制御装置は、
複数の前記薬品収納ボックスから同一の前記ＩＣタグの情報を同時に取得した場合、前記アンテナが電波を発信する方向において最も下流側の前記薬品収納ボックスに前記ＩＣタグを有する前記薬品が収納されていると判定する
ことを特徴とする請求項１に記載の薬品管理システム。
【請求項１０】
前記薬品保冷庫は、前記薬品収納ボックスを複数収納し、
前記薬品収納ボックスは、
前記薬品を収納する収納部と、
前記収納部を囲む複数の平板に取り付けられ、前記収納部に収納された前記薬品に取り付けられている前記ＩＣタグの情報を受信する複数のアンテナと、を含み、
前記制御装置は、
複数収納されている前記薬品収納ボックスのそれぞれに対して、前記複数のアンテナから前記ＩＣタグの情報を取得し、複数の前記薬品収納ボックスから同一の前記ＩＣタグの情報を同時に取得した場合、前記ＩＣタグを有する前記薬品が実際に収納されている前記薬品収納ボックスを特定する
ことを特徴とする請求項１に記載の薬品管理システム。
【請求項１１】
前記薬品収納ボックスは、
前記薬品を収納する収納部と、
前記収納部を囲む複数の平板に取り付けられ、前記収納部に収納された前記薬品に取り付けられている前記ＩＣタグの情報を受信する複数のアンテナと、を含み、
前記薬品保冷庫は、
前記薬品収納ボックスを複数収納し、
前記制御装置は、
複数の前記薬品収納ボックスから同一の前記ＩＣタグの情報を同時に取得した場合、最大の受信信号強度を有する前記ＩＣタグの情報を受信した前記複数のアンテナを特定し、前記複数のアンテナが取り付けられた前記薬品収納ボックスに前記ＩＣタグを有する前記薬品が収納されていると判定する
ことを特徴とする請求項１に記載の薬品管理システム。
【請求項１２】
前記薬品収納ボックスは、前記複数のアンテナを前記制御装置に接続するための接続部
を更に備えたことを特徴とする請求項１０又は１１に記載の薬品管理システム。
【請求項１３】
前記アンテナは、前記薬品保冷庫の前面ガラスの方向に電波を発信するように取り付けられ、
前記前面ガラスは、電波を遮蔽するシートが貼付される
ことを特徴とする請求項２乃至９の何れか一項に記載の薬品管理システム。
【請求項１４】
前記複数のアンテナのうち１つのアンテナは、前記薬品保冷庫の前面ガラスの方向に電波を発信するように取り付けられ、
前記前面ガラスは、電波を遮蔽するシートが貼付される
ことを特徴とする請求項１０又は１１に記載の薬品管理システム。
【請求項１５】
前記制御装置は、前記ＩＣタグの情報の取得状況に基づいて、前記薬品の出庫の有無を判定する
ことを特徴とする請求項１乃至１４の何れか一項に記載の薬品管理システム。
【請求項１６】
前記制御装置は、前記ＩＣタグの情報を所定時間継続して取得できないとき、前記ＩＣタグに対応する前記薬品を出庫したものと判定する
ことを特徴とする請求項１５に記載の薬品管理システム。
【請求項１７】
前記制御装置は、前記ＩＣタグの取得状況と、前記薬品保冷庫の扉の開閉状況と、に基づいて、前記薬品の出庫の有無を判定する
ことを特徴とする請求項１乃至１４の何れか一項に記載の薬品管理システム。
【請求項１８】
前記制御装置は、前記薬品保冷庫の扉が閉じた後に前記ＩＣタグの情報を取得できないとき、前記ＩＣタグに対応する前記薬品を出庫したものと判定する
ことを特徴とする請求項１７に記載の薬品管理システム。
【請求項１９】
前記制御装置は、前記薬品保冷庫の扉を開いてから閉じるまでの間に前記薬品保冷庫から出庫した前記薬品を、前記ＩＣタグの情報を取得することによって一括で確定する
ことを特徴とする請求項１７に記載の薬品管理システム。
【発明の詳細な説明】
【技術分野】
【０００１】
本発明は、薬品管理システムに関する。
【背景技術】
【０００２】
例えば、予め定められた保冷温度の環境下において薬品を保管する薬品保冷庫が知られている（例えば特許文献１を参照）。
【先行技術文献】
【特許文献】
【０００３】
【特許文献１】特開２０００−１０５１４９号公報
【発明の概要】
【発明が解決しようとする課題】
【０００４】
医療機関では、医薬品卸から納入される製薬メーカーの薬品を薬品保冷庫に収納し、当該薬品にとって最適となる保冷温度の環境下で保管している。しかし、製薬メーカー側及び医薬品卸側では、薬品がどのように温度管理されているのか、薬品がいつ処方のために消費されたのか等の医療機関側の情報を十分に把握していないのが現状である。そのため、医療機関、医薬品卸、製薬メーカーの間において薬品を円滑に流通させることができなくなる虞があった。【０００５】
そこで、本発明は、医療機関、医薬品卸、製薬メーカーの間において薬品を円滑に流通させることが可能な薬品管理システムを提供することを目的とする。
【課題を解決するための手段】
【０００６】
前述した課題を解決する主たる本発明は、薬品管理システムであって、薬品に取り付けられるＩＣタグと、前記薬品を収納し、前記ＩＣタグの情報を読み取る薬品収納ボックスと、前記薬品収納ボックスから前記ＩＣタグの情報を取得して前記薬品を管理する制御装置と、前記薬品を保冷するために、前記薬品収納ボックスを収納する薬品保冷庫と、を備える。【０００７】
本発明の他の特徴については、添付図面及び本明細書の記載により明らかとなる。
【発明の効果】
【０００８】
本発明によれば、医療機関、医薬品卸、製薬メーカーの間において薬品を円滑に流通させることが可能となる。
【図面の簡単な説明】
【０００９】
【図１】本実施形態に係る薬品管理システムの一例を示すブロック図である。
【図２】本実施形態に係る薬品管理システムに用いられる薬品保冷庫の一例を示す斜視図である。
【図３】図２の薬品保冷庫に対して薬品収納ボックスを出し入れする様子を示す斜視図である。
【図４】本実施形態に係る薬品管理システムに用いられる薬品収納ボックスの一例を示す斜視図である。
【図５】本実施形態に係る薬品管理システムに用いられる薬品収納ボックスの他の例を示す斜視図である。
【図６】図５の薬品収納ボックスにおいて、アンテナの接続線を外部に導出する接続部の一例を示す平面図である。
【図７】図１に示す薬品管理システムを具体的に示すブロック図である。
【図８】本実施形態に係る薬品管理システムに用いられる記憶装置に記憶されるテーブルの一例を示す図である。
【図９】本実施形態に係る薬品管理システムに用いられる記憶装置に記憶されるテーブルの他の例を示す図である。
【図１０】本実施形態に係る薬品管理システムに用いられる記憶装置に記憶されるテーブルの他の例を示す図である。
【図１１】本実施形態に係る薬品管理システムにおいて、複数の薬品収納ボックスから同一のＩＤ情報を同時に取得した場合、薬品が実際に収納されている薬品収納ボックスを判定する一例を説明するための平面図である。
【図１２】図１１において制御装置の判定動作の一例を説明するためのフローチャートである。
【図１３】本実施形態に係る薬品管理システムにおいて、複数の薬品収納ボックスから同一のＩＤ情報を同時に取得した場合、薬品が実際に収納されている薬品収納ボックスを判定する他の例を説明するための平面図である。
【図１４】図１３において制御装置の判定動作の一例を説明するためのフローチャートである。
【図１５】本実施形態に係る薬品管理システムにおいて、薬品が薬品収納ボックスから出庫したか否かの判定動作の一例を説明するためのフローチャートである。
【図１６】本実施形態に係る薬品管理システムにおいて、薬品が薬品収納ボックスから出庫したか否かの判定動作の他の例を説明するためのフローチャートである。
【図１７】本実施形態に係る薬品管理システムにおいて、表示部に表示される薬品の管理状況の一例を示す図である。
【図１８Ａ】本実施形態に係る薬品管理システムにおいて、薬品の入庫を一括で確定するための手順として表示部に表示される画面の一例を示す図である。
【図１８Ｂ】本実施形態に係る薬品管理システムにおいて、薬品の入庫を一括で確定するための手順として表示部に表示される画面の一例を示す図である。
【図１８Ｃ】本実施形態に係る薬品管理システムにおいて、薬品の入庫を一括で確定するための手順として表示部に表示される画面の一例を示す図である。
【図１９Ａ】本実施形態に係る薬品管理システムにおいて、薬品の出庫を一括で確定するための手順として表示部に表示される画面の一例を示す図である。
【図１９Ｂ】本実施形態に係る薬品管理システムにおいて、薬品の出庫を一括で確定するための手順として表示部に表示される画面の一例を示す図である。
【図１９Ｃ】本実施形態に係る薬品管理システムにおいて、薬品の出庫を一括で確定するための手順として表示部に表示される画面の一例を示す図である。
【図２０Ａ】本実施形態に係る薬品管理システムにおいて、薬品の返品出庫を一括で確定するための手順として表示部に表示される画面の一例を示す図である。
【図２０Ｂ】本実施形態に係る薬品管理システムにおいて、薬品の返品出庫を一括で確定するための手順として表示部に表示される画面の一例を示す図である。
【図２０Ｃ】本実施形態に係る薬品管理システムにおいて、薬品の返品出庫を一括で確定するための手順として表示部に表示される画面の一例を示す図である。
【発明を実施するための形態】
【００１０】
本明細書および添付図面の記載により、少なくとも以下の事項が明らかとなる。
【００１１】
＝＝＝薬品管理システム＝＝＝
医療機関では、医薬品卸から納入される製薬メーカーの薬品として、高額で厳格な流通管理が必要とされる薬品（例えば、抗悪性腫瘍剤、血友病治療剤、血漿製剤、アルブミン製剤、自己免疫治療剤、ワクチン、希少疾病治療剤等であって、以下、説明の便宜上「スペシャルティ医薬品」と称することもある）を取り扱う場合がある。この場合、医療機関では、薬品保冷庫に収納されたスペシャルティ医薬品が当該スペシャルティ医薬品にとって最適な温度で保管されるように、厳格な温度管理を行う必要がある。しかし、製薬メーカー側及び医薬品卸側では、スペシャルティ医薬品がどのように温度管理されているのか、医療機関側の情報を十分に把握できていないのが現状である。そのため、医療機関から製薬メーカー又は医薬品卸へのスペシャルティ医薬品の返品は不可となっており、医療機関、医薬品卸、製薬メーカーの間においてスペシャルティ医薬品を含む薬品全体の流通に支障を来たす虞がある。そこで、医療機関、医薬品卸、製薬メーカーの間において薬品が円滑に流通するように、本実施形態に係る薬品管理システムを提案する。
【００１２】
図１は、本実施形態に係る薬品管理システムの一例を示すブロック図である。
【００１３】
薬品管理システム１は、薬品保冷庫１００、薬品収納ボックス２００、ＩＣタグ３００、制御装置４００、記憶装置５００，６００，７００を含んで構成されている。
【００１４】
薬品保冷庫１００は、最適な保冷温度の環境下において薬品３１０を保管する装置である。薬品収納ボックス２００は、ＩＣタグ３００が貼付されている薬品３１０を収納し、ＩＣタグ３００に記憶されている薬品３１０を示すＩＤ情報を受信する機能を有する装置である。薬品収納ボックス２００は、薬品保冷庫１００に収納される。制御装置４００は、薬品収納ボックス２００からＩＣタグ３００に記憶されているＩＤ情報を取得し、例えば、薬品３１０の保冷温度及び入出庫の情報を紐付けて管理する装置である。記憶装置５００，６００，７００は、制御装置４００とはアクセス自在に接続され、制御装置４００が薬品３１０を管理する上で必要な情報を適宜記憶したり読み出したりする装置である。記憶装置５００，６００，７００は、パソコンに内蔵されるハードディスクで構成されてもよいし、ネットワークを介してアクセスされるデータサーバで構成されてもよい。尚、薬品保冷庫１００、薬品収納ボックス２００、ＩＣタグ３００、制御装置４００、記憶装置５００，６００，７００の詳細については後述する。
【００１５】
＜＜薬品保冷庫＞＞
図２は、本実施形態に係る薬品管理システムに用いられる薬品保冷庫の一例を示す斜視図である。図３は、図２の薬品保冷庫に対して薬品収納ボックスを出し入れする様子を示す斜視図である。
【００１６】
薬品保冷庫１００は、例えば医療機関に設置され、医薬品卸を介して納入される製薬メーカーの薬品（医薬品）を収納して最適な温度で保冷する装置である。
【００１７】
薬品保冷庫１００は、外箱１１０、内箱１２０、機械室１３０、扉１４０、温度センサ１５０、扉センサ１６０を含んで構成されている。
【００１８】
外箱１１０は、直方体形状を呈し、薬品を搬入又は搬出するための開口１１１を前面に有している。内箱１２０は、直方体形状を呈し、開口１１１に連通する開口１２１を前面に有し、断熱材を介して外箱１１０内に設置されている。内箱１２０には、薬品を収納するための棚１２２が複数設置されている。棚１２２は、通気を確保するために、例えば網目形状を呈している。機械室１３０は、外箱１１０の内箱１２０よりも下側の位置に形成され、内箱１２０内を保冷するための冷却装置（不図示）が設置されている。冷却装置は、例えば圧縮機、凝縮器、蒸発器等によって冷媒を循環させる装置であって、予め定められた保冷温度の空気が内箱１２０内を循環するように、内箱１２０と接続されている。扉１４０は、内箱１２０内を確認するためのガラス窓１４１（前面ガラス）を有し、外箱１１０の開口１１１に対してスライド自在に装着されている。扉１４０を閉じることによって、内箱１２０内を密閉空間として薬品を保冷することが可能となる。
【００１９】
尚、本実施形態では、管理対象の薬品３１０が収納される薬品収納ボックス２００が、薬品保冷庫１００における内箱１２０内の棚１２２に対して、開口１１１，１２１を通して出し入れ自在に載置されることとする。
【００２０】
温度センサ１５０は、例えば、薬品保冷庫１００の扉１４０の開閉や薬品保冷庫１００内の空気の循環による温度変化に左右されることがなく、内箱１２０内の薬品の温度を検知することが可能なグリコールボトル付きセンサであって、棚１２２に載置される薬品収納ボックス２００内の薬品３１０の温度を精度よく検知することができるように、内箱１２０内の所定位置（例えば内側面）に取り付けられている。尚、薬品保冷庫１００内に複数の薬品収納ボックス２００を収納する場合、複数の薬品収納ボックス２００内の薬品３１０の温度をそれぞれ精度よく検知することができるように、複数の温度センサ１５０を複数の薬品収納ボックス２００に対応付けて内箱１２０内の所定位置（例えば、薬品収納ボックス２００が載置される位置における棚１２２の表面）に取り付けてもよい。
【００２１】
扉センサ１６０は、扉１４０の開閉を検知するセンサであって、開口１１１の内側面に取り付けられている。扉センサ１６０は、例えばマイクロスイッチを用いて構成されている。
【００２２】
＜＜薬品収納ボックス＞＞
薬品収納ボックス２００として、薬品収納ボックス２００Ａ（第１実施例）及び薬品収納ボックス２００Ｂ（第２実施例）を以下に説明するが、薬品保冷庫１００には、薬品収納ボックス２００Ａ，２００Ｂの何れか一方又は双方を選択的に収納することが可能である。
【００２３】
＜第１実施例＞
図４は、本実施形態に係る薬品管理システムに用いられる薬品収納ボックスの一例を示す斜視図である。図３において、Ｘ軸は薬品収納ボックスの幅方向に沿う軸であり、Ｙ軸は薬品収納ボックスの奥行方向に沿う軸であり、Ｚ軸は薬品収納ボックスの高さ方向に沿う軸である。
【００２４】
薬品収納ボックス２００Ａは、管理対象の薬品３１０を収納するためのボックスである。
【００２５】
薬品収納ボックス２００Ａは、収納部２１０及びアンテナ２２０を含んで構成されている。
【００２６】
収納部２１０は、底面板２１１、側面板２１２，２１３、背面板２１４の合計４枚の平板で囲まれることによって形成される。収納部２１０は、例えば、樹脂材料を用いて底面板２１１、側面板２１２，２１３、背面板２１４が一体となるように金型成型によって形成されてもよい。或いは、収納部２１０は、例えば、樹脂材料を用いて底面板２１１、側面板２１２，２１３、背面板２１４を金型成型によって個別に形成した後、底面板２１１、側面板２１２，２１３、背面板２１４を接着剤等によって接着することによって形成されてもよい。収納部２１０は、収納部２１０内に収納されている薬品３１０が内箱１２０内を循環する空気によって効果的に保冷されるように、底面板２１１、側面板２１２，２１３、背面板２１４のそれぞれに通気孔２１５を複数有している。
【００２７】
薬品３１０には、当該薬品３１０を識別するためのＩＣタグ３００が貼付される。本実施形態において、ＩＣタグ３００は、例えばループコイル及びＩＣチップを有するパッシブ型のＲＦＩＤタグであることとする。ＩＣチップには、薬品３１０を示すＩＤ情報が予め記憶されている。ＩＣチップには、ＩＤ情報として、例えば、薬品３１０それ自体に割り当てられる「商品コード」、「薬品名」、製薬メーカーを示す「製造元コード」、薬品３１０の「受入日」、薬品３１０の「有効期限」、薬品３１０の「ロット番号」、薬品３１０の「画像データ」等が予め記憶されている。
【００２８】
アンテナ２２０は、収納部２１０内に電波を発信することによって、薬品３１０に貼付されているＩＣタグ３００内のＩＣチップを起動し、薬品３１０を示すＩＤ情報を受信する装置である。アンテナ２２０によって受信されたＩＤ情報は、後述する制御装置によって、薬品３１０を管理するための情報として記憶装置５００に記憶される。アンテナ２２０は、平板形状を呈し、例えば、側面板２１２の側面板２１３と対向する面に取り付けられている。
【００２９】
そして、薬品３１０を薬品収納ボックス２００Ａに収納し、薬品収納ボックス２００Ａを薬品保冷庫１００に収納することによって、薬品３１０及び当該薬品３１０を収納する薬品収納ボックス２００Ａを管理することが可能となる。又、薬品収納ボックス２００Ａはアンテナ２２０と対応付けられているため、薬品収納ボックス２００Ａを特定することが可能である。そこで、薬品３１０を種類ごと、医薬品卸ごと、製薬メーカーごと等に分けて複数の薬品収納ボックス２００Ａに収納し、複数の薬品収納ボックス２００Ａを薬品保冷庫１００に収納することによって、薬品３１０及び当該薬品３１０を収納する薬品収納ボックス２００Ａを管理することも可能となる。又、薬品収納ボックス２００Ａを収納する対象として、医療機関等に既設の薬品保冷庫１００を使用することも可能となる。
【００３０】
＜第２実施例＞
図５は、本実施形態に係る薬品管理システムに用いられる薬品収納ボックスの他の例を示す斜視図である。図５において、Ｘ軸は薬品収納ボックスの幅方向に沿う軸であり、Ｙ軸は薬品収納ボックスの奥行方向に沿う軸であり、Ｚ軸は薬品収納ボックスの高さ方向に沿う軸である。図６は、図５の薬品収納ボックスにおいて、アンテナの接続線を外部に導出する接続部の一例を示す平面図である。尚、第２実施例において、第１実施例と同一の構成については、同一番号を記すとともに説明を省略する。
【００３１】
薬品収納ボックス２００Ｂは、管理対象の薬品３１０を収納するためのボックスである。
【００３２】
薬品収納ボックス２００Ｂは、収納部２１０及びアンテナ２２０，２３０を含んで構成されている。
【００３３】
アンテナ２２０，２３０は、収納部２１０内に電波を発信することによって、薬品３１０に貼付されているＩＣタグ３００内のＩＣチップを起動し、薬品３１０を示すＩＤ情報を受信する装置である。アンテナ２２０，２３０によって受信されたＩＤ情報は、後述する制御装置によって、薬品３１０を管理するための情報として記憶装置５００に記憶される。
【００３４】
第１実施例の場合、アンテナ２２０の側面板２１３に対向する面とＩＣタグ３００の面とが垂直の位置関係となるように、薬品３１０が薬品収納ボックス２００に収納されてしまうと、アンテナ２２０から発信する電波がＩＣタグ３００内のループコイルと鎖交しなくなって、アンテナ２２０はＩＣタグ３００内のＩＣチップから薬品３１０を示すＩＤ情報を正しく受信できなくなる虞がある。具体的には、ＩＣタグ３００の面がＸ軸及びＺ軸からなる面に沿うように、薬品３１０が薬品収納ボックス２００に収納されてしまうと、アンテナ２２０の側面板２１３に対向する面（Ｙ軸及びＺ軸からなる面に沿う面）とＩＣタグ３００の面（Ｘ軸及びＺ軸からなる面に沿う面）とが垂直の位置関係となるため、アンテナ２２０はＩＣタグ３００内のＩＣチップから薬品３１０を示すＩＤ情報を正しく受信できなくなる虞がある。例えば、薬品３１０がバイアル瓶に封入され、ＩＣタグ３００がバイアル瓶の側面に貼付されるような場合、上記の問題は生じ得る。
【００３５】
そこで、アンテナ２３０は、平板形状を呈し、背面板２１４の側面板２１２，２１３で挟まれる面に取り付けられている。これによって、アンテナ２２０の面（Ｙ軸及びＺ軸からなる面に沿う面）とアンテナ２３０の面（Ｘ軸及びＺ軸からなる面に沿う面）とが垂直の位置関係となるため、薬品３１０がＺ軸を中心として如何なる方向を向いて収納されたとしても、ＩＣタグ３００内のＩＣチップから薬品３１０を示すＩＤ情報を正しく受信することが可能となる。
【００３６】
アンテナ２２０の接続線（通信線）２２１と、アンテナ２３０の接続線（通信線）２３１とは、薬品収納ボックス２００Ｂの出し入れの支障とならないように、例えば、薬品保冷庫１００の奥側の隅に設けられたコネクタ１７０を介して外部の制御装置に接続される。コネクタ１７０を抜き差しすることによって、薬品収納ボックス２００Ｂを容易に出し入れすることが可能となる。
【００３７】
＜＜制御装置＞＞
図７は、図１に示す薬品管理システムを具体的に示すブロック図である。
【００３８】
制御装置４００は、アンテナ２２０（２３０）によって受信されるＩＣタグ３００のＩＤ情報と、温度センサ１５０によって検知される内箱１２０内の棚１２２に載置される薬品収納ボックス２００内の薬品３１０の温度情報と、扉センサ１６０によって検知される扉１４０の開閉情報と、に基づいて、薬品３１０の保冷温度及び入出庫の情報を紐付けて管理する装置である。
【００３９】
制御装置４００は、送受信部４１０、入力部４２０、計時部４３０、制御部４４０、記憶部４５０、表示部４６０を含んで構成されている。
【００４０】
送受信部４１０は、アンテナ２２０（２３０）によって受信されるＩＣタグ３００のＩＤ情報と、温度センサ１５０によって検知される内箱１２０内の棚１２２に載置される薬品収納ボックス２００内の薬品３１０の温度情報と、扉センサ１６０によって検知される扉１４０の開閉情報と、を一定時間間隔で取得するためのインターフェースである。又、送受信部４１０は、記憶装置５００，６００，７００にアクセスするためのインターフェースでもある。
【００４１】
入力部４２０には、各種コマンドが入力される。
【００４２】
計時部４３０は、現在時刻を計時し、又、現在時刻を基準として予め定められた時間を計時する。
【００４３】
制御部４４０は、薬品３１０の保冷温度及び入出庫の情報を紐付けて管理するための制御を行う。制御部４４０は、例えば、マイコンを用いることによって実現される。
【００４４】
記憶部４５０には、薬品３１０の保冷温度及び入出庫の情報を紐付けて管理するためのプログラムが予め記憶されている。制御部４４０は、記憶部４５０から読み出されるプログラムを実行することによって動作する。
【００４５】
表示部４６０は、薬品３１０の保冷温度及び入出庫の情報を紐付けた視覚情報を表示するディスプレイである。
【００４６】
尚、ここでは、入力部４２０と表示部４６０を別体として説明したが、一体型のタッチパネルディスプレイとしても良い。
【００４７】
＜＜記憶装置＞＞
図８は、本実施形態に係る薬品管理システムに用いられる記憶装置に記憶されるテーブルの一例を示す図である。
【００４８】
記憶装置５００は、ＩＣタグ３００に予め記憶されている薬品３１０を示すＩＤ情報（商品コード、薬品名、製造元コード、受入日、有効期限、ロット番号、画像データ）を、１つの薬品収納ボックス２００を単位として記憶するデータベースである。例えば、２つの薬品収納ボックス２００が薬品保冷庫１００に収納され、一方の薬品収納ボックス２００に２つの薬品３１０が収納され、他方の薬品収納ボックス２００に３つの薬品３１０が収納されている場合、記憶装置５００は、一方の薬品収納ボックス２００に割り当てられた記憶領域に２つのＩＤ情報を記憶し、他方の薬品収納ボックス２００に割り当てられた記憶領域に３つのＩＤ情報を記憶する。
【００４９】
制御装置４００は、制御部４４０が記憶部４５０から読み出されるプログラムに従って動作することによって、送受信部４１０を介して薬品保冷庫１００に収納されている全ての薬品収納ボックス２００内のアンテナ２２０（２３０）に対して一定時間間隔でアクセスする。ＩＣタグ３００内のＩＣチップに記憶されているＩＤ情報がアンテナ２２０（２３０）によって受信されている場合、ＩＤ情報は送受信部４１０を介して記憶装置５００内に設定されている薬品収納ボックス２００ごとの記憶領域にテーブルとして記憶される。尚、記憶装置５００は、記憶領域に記憶されていないＩＤ情報については新たに記憶し、記憶領域に既に記憶されているＩＤ情報については上書きして記憶する。
【００５０】
図９は、本実施形態に係る薬品管理システムに用いられる記憶装置に記憶されるテーブルの他の例を示す図である。
【００５１】
記憶装置６００は、温度センサ１５０によって検知された温度情報を、１つの薬品収納ボックス２００を単位として記憶するデータベースである。例えば、２つの薬品収納ボックス２００が薬品保冷庫１００に収納され、２つの温度センサ１５０が２つの薬品収納ボックス２００にそれぞれ対応して取り付けられている場合、記憶装置６００は、一方の薬品収納ボックス２００に対応して取り付けられている一方の温度センサによって検知される温度情報と、他方の薬品収納ボックス２００に対応して取り付けられている他方の温度センサ１５０によって検知される温度情報と、をそれぞれの記憶領域に記憶する。
【００５２】
制御装置４００は、制御部４４０が記憶部４５０から読み出されるプログラムに従って動作することによって、送受信部４１０を介して温度センサ１５０に対して一定時間間隔でアクセスする。温度センサ１５０による温度情報は、送受信部４１０を介して記憶装置６００内に設定されている薬品収納ボックス２００ごとの記憶領域にテーブルとして記憶される。尚、記憶装置６００は、温度センサ１５０による温度情報を上書きして記憶してもよいし、薬品収納ボックス２００内の温度の時間推移が分かるように、温度センサ１５０による温度情報を蓄積して記憶してもよい。
【００５３】
図１０は、本実施形態に係る薬品管理システムに用いられる記憶装置に記憶されるテーブルの他の例を示す図である。
【００５４】
記憶装置７００は、薬品３１０が薬品保冷庫１００に入庫したか薬品保冷庫１００から出庫したと制御装置４００が判定した場合、薬品３１０の商品コードに対して、薬品３１０の入庫確認時刻及び出庫確認時刻、アンテナ２２０（２３０）に割り当てられているアンテナコード、アンテナ２２０（２３０）が薬品３１０に貼付されたＩＣタグ３００から受信する信号の受信信号強度を示す情報を紐付けて、１つの薬品収納ボックス２００を単位として記憶するデータベースである。尚、本実施形態において、アンテナコード及び受信信号強度を示す情報は、制御装置４００が送受信部４１０を介してアンテナ２２０（２３０）からＩＤ情報を取得する際に、ＩＤ情報に付帯していることとする。例えば、２つの薬品収納ボックス２００が薬品保冷庫１００に収納され、一方の薬品収納ボックス２００に２つの薬品３１０が収納され、他方の薬品収納ボックス２００に３つの薬品３１０が収納されている場合、記憶装置７００は、一方の薬品収納ボックス２００に割り当てられた記憶領域に２つの薬品３１０に関する商品コード、入庫確認時刻、出庫確認時刻、アンテナコード、受信信号強度を示す情報を記憶し、他方の薬品収納ボックス２００に割り当てられた記憶領域に３つの薬品３１０に関する商品コード、入庫確認時刻、出庫確認時刻、アンテナコード、受信信号強度を示す情報を記憶する。
【００５５】
制御装置４００は、制御部４４０が記憶部４５０から読み出されるプログラムに従って動作することによって、送受信部４１０を介して薬品保冷庫１００に収納されている全ての薬品収納ボックス２００内のアンテナ２２０（２３０）に対して一定時間間隔でアクセスする。そして、制御装置４００は、アンテナ２２０（２３０）から得られるＩＤ情報が記憶装置５００に記憶されていないＩＤ情報である場合、薬品３１０が入庫したと判定し、計時部４３０によって計時されている現在時刻を入庫確認時刻としてアンテナコード及び受信信号強度と紐付けて、アンテナコードに対応する薬品収納ボックス２００に割り当てられた記憶領域に記憶する。又、反対に、制御装置４００は、入庫していた薬品３１０のＩＤ情報がアンテナ２２０（２３０）で検知されなくなった場合、薬品３１０が出庫したと判定し、計時部４３０によって計時されている現在時刻を出庫確認時刻としてアンテナコード及び受信信号強度と紐付けて、アンテナコードに対応する薬品収納ボックス２００に割り当てられた記憶領域に記憶する。
【００５６】
＜＜薬品の入庫判定＞＞
＜第１実施例＞
図１１は、本実施形態に係る薬品管理システムにおいて、複数の薬品収納ボックスから同一のＩＤ情報を同時に取得した場合、薬品が実際に収納されている薬品収納ボックスを判定する一例を説明するための平面図である。尚、説明の便宜上、例えば、３つの薬品収納ボックス２００Ａが幅方向（Ｘ軸に沿う方向）に沿って１つの棚１２２上に隣り合って載置されていることとする。つまり、隣り合う２つの薬品収納ボックス２００Ａにおいて、一方の薬品収納ボックス２００Ａの側面板２１２と他方の薬品収納ボックス２００Ａの側面板２１３とが対向していることとする。更に、紙面右側（−Ｘ側）の薬品収納ボックス２００Ａにのみ薬品３１０が収納されていることとする。
【００５７】
図１２は、図１１における制御装置の判定動作の一例を説明するためのフローチャートである。尚、制御装置の判定動作は、制御部４４０が記憶部４５０から読み出されるプログラムに従って動作することによって実現される。
【００５８】
アンテナ２２０から発信される電波は、主として、薬品収納ボックス２００Ａ内を側面板２１２から側面板２１３へ向かう破線矢印の方向（−Ｘ方向）の指向性を有している。そのため、紙面右側の薬品収納ボックス２００Ａのアンテナ２２０が薬品３１０に貼付されているＩＣタグ３００からＩＤ情報を受信するのと同時に、紙面左側及び紙面中央の薬品収納ボックス２００Ａには薬品３１０が収納されていないにも関わらず、紙面左側及び紙面中央の薬品収納ボックス２００Ａのアンテナ２２０が同一のＩＣタグ３００からＩＤ情報を誤って受信してしまう虞がある。つまり、記憶装置７００は、紙面左側及び紙面中央の薬品収納ボックス２００Ａのそれぞれの記憶領域に対して、紙面右側の薬品収納ボックス２００Ａに収納されている薬品３１０に関する情報と同一の情報を誤って記憶してしまう虞がある。そこで、記憶装置７００における紙面左側及び紙面中央の薬品収納ボックス２００Ａのそれぞれの記憶領域に対して、紙面右側の薬品収納ボックス２００Ａに収納されている薬品３１０に関する情報と同一の情報を誤って記憶している場合、この情報を削除する必要がある。
【００５９】
先ず、制御装置４００は、記憶装置７００にアクセスし、３つの薬品収納ボックス２００Ａのそれぞれの記憶領域を参照し、薬品３１０に関する同一の情報が記憶されているか否か、つまり、同一の商品コード及び入庫確認時刻の情報が記憶されているか否かを判定する（ステップＳ１０１）。
【００６０】
例えば、３つの薬品収納ボックス２００Ａのそれぞれの記憶領域に同一の商品コード及び入庫確認時刻の情報が記憶されている場合（ステップＳ１０１：ＹＥＳ）、制御装置４００は、アンテナ２２０から発信される電波の指向性に基づいて、アンテナ２２０から発信される電波の方向において最も下流側に配置されている紙面右側の薬品収納ボックス２００Ａに薬品３１０が収納されていると判定する（ステップＳ１０２）。尚、３つの薬品収納ボックス２００Ａのそれぞれの記憶領域に同一の商品コード及び入庫確認時刻の情報が記憶されていない場合（ステップＳ１０１：ＮＯ）、ステップＳ１０１の判定動作を再度実行する。
【００６１】
次に、制御装置４００は、ステップＳ１０２の判定結果に従って、紙面左側及び紙面中央の薬品収納ボックス２００Ａのそれぞれの記憶領域に記憶されている、紙面右側の薬品収納ボックス２００Ａに収納されている薬品３１０に関する情報と同一の情報を削除する（ステップＳ１０３）。
【００６２】
これによって、薬品３１０の入庫情報を正しく管理することが可能となる。
【００６３】
＜第２実施例＞
図１３は、本実施形態に係る薬品管理システムにおいて、複数の薬品収納ボックスから同一のＩＤ情報を同時に取得した場合、薬品が実際に収納されている薬品収納ボックスを判定する他の例を説明するための平面図である。尚、説明の便宜上、例えば、３つの薬品収納ボックス２００Ｂが幅方向（Ｘ軸に沿う方向）に沿って１つの棚１２２上に隣り合って載置されていることとする。つまり、隣り合う２つの薬品収納ボックス２００Ｂにおいて、一方の薬品収納ボックス２００Ｂの側面板２１２と他方の薬品収納ボックス２００Ｂの側面板２１３とが対向していることとする。更に、紙面右側（−Ｘ側）の薬品収納ボックス２００Ｂにのみ薬品３１０が収納されていることとする。
【００６４】
図１４は、図１３における制御装置の判定動作の一例を説明するためのフローチャートである。尚、制御装置の判定動作は、制御部４４０が記憶部４５０から読み出されるプログラムに従って動作することによって実現される。
【００６５】
アンテナ２２０から発信される電波は、主として、薬品収納ボックス２００Ｂ内を側面板２１２から側面板２１３へ向かう破線矢印の方向（−Ｘ方向）の指向性を有している。そのため、紙面右側の薬品収納ボックス２００Ｂのアンテナ２２０が薬品３１０に貼付されているＩＣタグ３００からＩＤ情報を受信するのと同時に、紙面左側及び紙面中央の薬品収納ボックス２００Ｂには薬品３１０が収納されていないにも関わらず、紙面左側及び紙面中央の薬品収納ボックス２００Ｂのアンテナ２２０が同一のＩＣタグ３００からＩＤ情報を誤って受信してしまう虞がある。つまり、記憶装置７００は、紙面左側及び紙面中央の薬品収納ボックス２００Ｂのそれぞれの記憶領域に対して、紙面右側の薬品収納ボックス２００Ｂに収納されている薬品３１０に関する情報と同一の情報を誤って記憶してしまう虞がある。そこで、記憶装置７００における紙面左側及び紙面中央の薬品収納ボックス２００Ｂのそれぞれの記憶領域に対して、紙面右側の薬品収納ボックス２００Ｂに収納されている薬品３１０に関する情報と同一の情報を誤って記憶している場合、この情報を削除する必要がある。
【００６６】
薬品収納ボックス２００Ｂは、アンテナ２２０の他にアンテナ２３０を有している。アンテナ２３０から発信される電波は、主として、薬品収納ボックス２００Ｂ内を背面板２１４から遠ざかる一点鎖線矢印の方向（−Ｙ方向）の指向性を有している。つまり、紙面左側及び紙面中央の薬品収納ボックス２００Ｂのアンテナ２３０は、紙面右側の薬品収納ボックス２００Ｂに収納されている薬品３１０のＩＣタグ３００からＩＤ情報を誤って受信する可能性は極めて低い。そこで、アンテナ２２０，２３０の受信信号強度を示す情報に基づいて、薬品３１０が収納されている薬品収納ボックス２００Ｂを判定すればよい。
【００６７】
先ず、制御装置４００は、記憶装置７００にアクセスし、３つの薬品収納ボックス２００Ｂのそれぞれの記憶領域を参照し、薬品３１０に関する同一の情報が記憶されているか否か、つまり、同一の商品コード及び入庫確認時刻の情報が記憶されているか否かを判定する（ステップＳ２０１）。
【００６８】
例えば、３つの薬品収納ボックス２００Ｂのそれぞれの記憶領域に同一の商品コード及び入庫確認時刻の情報が記憶されている場合（ステップＳ２０１：ＹＥＳ）、制御装置４００は、３つの薬品収納ボックス２００Ｂそれぞれのアンテナ２２０，２３０の受信信号強度を比較し、最大の受信信号強度を示すアンテナ２２０，２３０が取り付けられている紙面右側の薬品収納ボックス２００Ｂに薬品３１０が収納されていると判定する（ステップＳ２０２）。尚、３つの薬品収納ボックス２００Ａのそれぞれの記憶領域に同一の商品コード及び入庫確認時刻の情報が記憶されていない場合（ステップＳ２０１：ＮＯ）、ステップＳ２０１の判定動作を再度実行する。
【００６９】
次に、制御装置４００は、ステップＳ２０２の判定結果に従って、紙面左側及び紙面中央の薬品収納ボックス２００Ｂのそれぞれの記憶領域に記憶されている、紙面右側の薬品収納ボックス２００Ｂに収納されている薬品３１０に関する情報と同一の情報を削除する（ステップＳ２０３）。
【００７０】
これによって、薬品３１０の入庫情報を正しく管理することが可能となる。
【００７１】
＜＜薬品の出庫判定＞＞
例えば、薬品収納ボックス２００に収納されている複数の薬品３１０の中から出庫の対象である薬品３１０を取り出す場合、アンテナ２２０（２３０）と出庫の対象ではない薬品３１０のＩＣタグ３００との間に誘電体である作業者の手が挿入されると、アンテナ２２０（２３０）から発信される電波が出庫の対象ではない薬品３１０のＩＣタグ３００に十分に届かなくなってしまう。その結果、出庫の対象ではない薬品３１０は、薬品収納ボックス２００内に存在するにも関わらず、出庫したものと誤判定される虞がある。又、例えば、薬品収納ボックス２００に収納されている複数の薬品３１０の配置を変更しようとして、一部の薬品３１０を薬品収納ボックス２００から一時的に取り出す場合、アンテナ２２０（２３０）から発信される電波が当該一部の薬品３１０のＩＣタグ３００に届かなくなってしまう。その結果、当該一部の薬品３１０は、薬品収納ボックス２００に戻されるにも関わらず、出庫したものと誤判定される虞がある。そこで、薬品３１０が出庫した状態を正しく判定する必要がある。
【００７２】
＜第１実施例＞
図１５は、本実施形態に係る薬品管理システムにおいて、薬品が薬品収納ボックスから出庫したか否かの判定動作の一例を説明するためのフローチャートである。尚、制御装置４００の判定動作は、制御部４４０が記憶部４５０から読み出されるプログラムに従って動作することによって実現される。又、説明の便宜上、薬品保冷庫１００の扉１４０が閉じた状態を初期状態として、制御装置４００は判定動作を開始することとする。
【００７３】
先ず、制御装置４００は、扉センサ１６０から扉１４０の開閉情報を一定時間間隔で取得する。具体的には、制御装置４００は、扉センサ１６０から扉１４０が閉じていることを示す閉信号又は扉１４０が開いていることを示す開信号を一定時間間隔（例えば５秒間隔）で取得する。例えば、扉センサ１６０がマイクロスイッチを用いて構成されている場合、扉センサ１６０は、扉１４０が閉じているとき、マイクロスイッチがＯＮすることによって閉信号を出力し、扉１４０が開いているとき、マイクロスイッチがＯＦＦすることによって開信号を出力する。そして、制御装置４００は、扉センサ１６０から開信号を取得したか否かを判定する（ステップＳ３０１）。
【００７４】
扉センサ１６０から開信号を取得していない場合（ステップＳ３０１：ＮＯ）、制御装置４００は、ステップＳ３０１の判定動作を再度実行する。一方、扉センサ１６０から開信号を取得した場合（ステップＳ３０１：ＹＥＳ）、扉１４０が開いている関係上、薬品３１０の入庫又は出庫が不確定な状態となる可能性が高いため、制御装置４００は、アンテナ２２０（２３０）から取得する情報を無効とする。具体的には、制御装置４００は、アンテナ２２０（２３０）から新たなＩＤ情報を取得したとしても、アンテナ２２０（２３０）から既存（既に取得済み）のＩＤ情報を取得しなくなったとしても、扉１４０が開いている期間におけるアンテナ２２０（２３０）の情報を無効とする（ステップＳ３０２）。
【００７５】
次に、制御装置４００は、扉センサ１６０から閉信号を取得したか否かを判定する（ステップＳ３０３）。扉センサ１６０から閉信号を取得していない場合（ステップＳ３０３：ＮＯ）、制御装置４００は、ステップＳ３０２の動作及びステップＳ３０３の判定動作を再度実行する。一方、扉センサ１６０から閉信号を取得した場合（ステップＳ３０３：ＹＥＳ）、制御装置４００は、扉１４０が閉じてからの経過時間が分かるように、計時部４３０によって現在時刻を基準として計時を開始する（ステップ３０４）。
【００７６】
次に、制御装置４００は、計時部４３０による計時時間が一定時間（例えば５分）を経過したか否かを判定する（ステップＳ３０５）。
【００７７】
計時部４３０が一定時間を計時していない場合（ステップＳ３０５：ＮＯ）、制御装置４００は、計時部４３０が一定時間を計時する途中で、扉センサ１６０から開信号を取得したか否かを判定する（ステップＳ３０６）。扉センサ１６０から開信号を取得していない場合（ステップＳ３０６：ＮＯ）、制御装置４００は、ステップＳ３０５の判定動作を再度実行する。一方、扉センサ１６０から開信号を取得した場合（ステップＳ３０６：ＹＥＳ）、制御装置４００は、計時部４３０の計時動作を停止して計時値をリセットし（ステップＳ３０７）、その後、ステップＳ３０２を再度実行する。
【００７８】
一方、制御装置４００は、計時部４３０が一定時間を計時した場合（ステップＳ３０５：ＹＥＳ）、薬品３１０の入庫又は出庫が確定した状態となる可能性が高いため、アンテナ２２０（２３０）から取得する情報を有効とする。具体的には、制御装置４００は、アンテナ２２０（２３０）から新たなＩＤ情報を取得した場合、該当する薬品３１０が入庫したものと判定し、アンテナ２２０（２３０）から既存のＩＤ情報を取得しなくなった場合、該当する薬品３１０が出庫したものと判定し（ステップＳ３０８）、その後、ステップＳ３０１を再度実行する。
【００７９】
これによって、薬品３１０の入庫情報に加えて出庫情報を正しく管理することが可能となる。
【００８０】
尚、薬品保冷庫１００に薬品収納ボックス２００Ｂ（図５）を収納する場合、背面板２１４に取り付けられているアンテナ２３０から発信される電波は主としてガラス窓１４１へ向かう指向性を有しているため、薬品３１０が出庫のために薬品収納ボックス２００Ｂから取り出された後、ガラス窓１４１を挟んで薬品保冷庫１００の外側に一時的に置かれてしまうと、アンテナ２３０が当該薬品３１０に貼付されているＩＣタグ３００からＩＤ情報を受信してしまい、当該薬品３１０は出庫していないものと誤判定する虞がある。そこで、ガラス窓１４１には電波を遮蔽するシート１４２が貼付されることとする。
【００８１】
＜第２実施例＞
図１６は、本実施形態に係る薬品管理システムにおいて、薬品が薬品収納ボックスから出庫したか否かの判定動作の他の例を説明するためのフローチャートである。尚、制御装置４００の判定動作は、制御部４４０が記憶部４５０から読み出されるプログラムに従って動作することによって実現される。
【００８２】
先ず、制御装置４００は、アンテナ２２０（２３０）から既存（既に取得済み）のＩＤ情報を取得しなくなったか否かを判定する（ステップＳ４０１）。アンテナ２２０（２３０）から既存のＩＤ情報を継続して取得している場合（ステップＳ４０１：ＹＥＳ）、制御装置４００は、ステップＳ４０１の判定動作を再度実行する。一方、アンテナ２２０（２３０）から既存のＩＤ情報を取得しなくなった場合（ステップＳ４０１：ＮＯ）、制御装置４００は、既存のＩＤ情報を取得しなくなってからの経過時間が分かるように、計時部４３０によって現在時刻を基準として計時を開始する（Ｓ４０２）。
【００８３】
次に、制御装置４００は、計時部４３０による計時時間が一定時間（例えば５分）を経過したか否かを判定する（ステップＳ４０３）。
【００８４】
計時部４３０が一定時間を計時していない場合（ステップＳ４０３：ＮＯ）、制御装置４００は、計時部４３０が一定時間を計時する途中で、既存のＩＤ情報を取得したか否かを判定する（ステップＳ４０４）。既存のＩＤ情報を取得していない場合（ステップＳ４０４：ＮＯ）、制御装置４００は、ステップＳ４０３の判定動作を再度実行する。一方、既存のＩＤ情報を取得した場合（ステップＳ４０４：ＹＥＳ）、制御装置４００は、計時部４３０の計時動作を停止して計時値をリセットし（ステップＳ４０５）、その後、ステップＳ４０１の判定動作を再度実行する。
【００８５】
一方、計時部４３０が一定時間を計時した場合（ステップＳ４０３：ＹＥＳ）、制御装置４００は、該当する薬品３１０が出庫したものと判定し（ステップＳ４０６）、その後、ステップＳ４０１の判定動作を再度実行する。
【００８６】
これによって、薬品３１０の出庫情報を正しく管理することが可能となる。
【００８７】
尚、薬品保冷庫１００に薬品収納ボックス２００Ｂ（図５）を収納する場合、第１実施例と同様に、ガラス窓１４１には電波を遮蔽するシート１４２が貼付されることとする。  ＜＜薬品の管理状況の表示例＞＞
図１７は、本実施形態に係る薬品管理システムにおいて、表示部に表示される薬品の管理状況の一例を示す図である。尚、制御装置４００の表示動作は、制御部４４０が記憶部４５０から読み出されるプログラムに従って動作することによって実現される。
【００８８】
薬品３１０の管理状況を表示部４６０に表示するための表示コマンドが入力部４２０に入力されると、制御装置４００は、記憶装置５００，６００，７００内のテーブルを適宜参照し、「入庫リスト」、「薬品情報」、「入庫履歴」を示す視覚情報を表示部４６０に表示する。
【００８９】
入庫リストは、薬品保冷庫１００に収納されている全ての薬品３１０の管理状況を示す視覚情報であって、例えば、商品コード、薬品名、有効期限、温度を示す情報が薬品３１０ごとに対応付けられている。入庫リストは、商品コード、薬品名、有効期限の何れか１つを基準として並べ替えて表示するか、薬品収納ボックス２００ごとに纏めて表示することが可能である。又、入庫リストは、一定時間（例えば５秒）間隔で更新して表示することが可能である。又、入庫リストのうち、有効期限が経過してしまった薬品３１０の欄は、有効期限が経過していない薬品３１０と区別されるように表示（例えばハイライト、点滅等）することが可能である。
【００９０】
薬品情報は、入庫リストに表示されている複数の薬品３１０の中から選択された薬品３１０の諸情報を示す視覚情報であって、例えば、薬品名、製造元コード、受入日、有効期限、ロット番号、画像が対応付けられている。
【００９１】
入庫履歴は、入庫リストに表示されている複数の薬品３１０の中から選択された薬品３１０の入庫状況を示す視覚情報であって、例えば、入庫確認時刻、アンテナコード、受信信号強度、温度を示す情報が対応付けられている。
【００９２】
このように、表示部４６０に対して、薬品３１０の保冷温度及び入出庫の情報を紐付けて一覧表示することによって、薬品３１０の管理状況を正しく確認することが可能となる。
【００９３】
そして、医療機関、医薬品卸、製薬メーカーの間において、本実施形態に係る薬品管理システム１を構築した場合、薬品３１０の保冷温度及び入出庫の情報が紐付けて管理されているため、医療機関から医薬品卸及び製薬メーカーへのスペシャルティ医薬品の返品が可能となって、スペシャルティ医薬品を含む薬品を円滑に流通させることが可能となる。
【００９４】
＜＜薬品の入庫及び出庫の処理手順＞＞
図１８Ａ〜図１８Ｃは、薬品の入庫を一括で確定するための手順として表示部に表示される画面の一例を示す図である。図１９Ａ〜図１９Ｃは、薬品の出庫を一括で確定するための手順として表示部に表示される画面の一例を示す図である。図２０Ａ〜図２０Ｃは、薬品の返品出庫を一括で確定するための手順として表示部に表示される画面の一例を示す図である。尚、表示部４６０の表示処理は、制御部４４０が記憶部４５０から読み出されるプログラムに従って動作することによって実行される。又、薬品３１０の入庫及び出庫の判定は、例えば図１６に示すように扉センサ１６０の閉信号を契機として行われることとする。
【００９５】
＜入庫処理＞
先ず、薬品３１０の入出庫を管理するためのコマンドが入力部４２０に入力されると、制御装置４００は、表示部４６０に薬品３１０の「入庫」、「出庫」、「返品出庫」の何れかを選択するための画面（図１８Ａ）を表示させる。
【００９６】
次に、作業者が「入庫」のボタンをクリックすると、制御装置４００は、表示部４６０に入庫操作画面（図１８Ｂ）を表示させる。作業者は、入庫操作画面の指示に従って、薬品保冷庫１００の扉１４０を開き、薬品収納ボックス２００内に入庫対象の全ての薬品３１０を収納したら、薬品保冷庫１００の扉１４０を閉じる。
【００９７】
次に、制御装置４００は、扉センサ１６０から閉信号を取得したため、アンテナ２２０（２３０）から薬品３１０のＩＤ情報を取得し、アンテナ２２０（２３０）から新たな薬品３１０のＩＤ情報を取得した場合、当該薬品３１０の情報をリスト表示（医薬品名、製造番号、使用期間、ＥＰＣコード、判定等の項目）した入庫操作画面（図１８Ｃ）を表示させる。作業者は、入庫対象の全ての薬品３１０がリスト表示されていることを確認し、「入庫確定」のボタンをクリックする。これによって、制御装置４００は、入庫対象の全ての薬品３１０に係る情報を記憶装置７００に一括で記憶させる。このようにして、入庫対象の薬品３１０の確定処理に係る利便性が向上する。
【００９８】
＜出庫処理＞
先ず、薬品３１０の入出庫を管理するためのコマンドが入力部４２０に入力されると、制御装置４００は、表示部４６０に薬品３１０の「入庫」、「出庫」、「返品出庫」の何れかを選択するための画面（図１９Ａ）を表示させる。
【００９９】
次に、作業者が「出庫」のボタンをクリックすると、制御装置４００は、表示部４６０に出庫操作画面（図１９Ｂ）を表示させる。作業者は、出庫操作画面の指示に従って、薬品保冷庫１００の扉１４０を開き、薬品収納ボックス２００内から出庫対象の全ての薬品３１０を取り出したら、薬品保冷庫１００の扉１４０を閉じる。
【０１００】
次に、制御装置４００は、扉センサ１６０から閉信号を取得したため、アンテナ２２０（２３０）から薬品３１０のＩＤ情報を取得し、アンテナ２２０（２３０）から既存の薬品３１０のＩＤ情報を取得しなくなった場合、当該薬品３１０の情報をリスト表示（医薬品名、製造番号、使用期間、ＥＰＣコード等の項目）した出庫操作画面（図１９Ｃ）を表示させる。作業者は、出庫対象の全ての薬品３１０がリスト表示されていることを確認し、「出庫確定」のボタンをクリックする。これによって、制御装置４００は、出庫対象の全ての薬品３１０に係る情報を記憶装置７００に一括で記憶させる。このようにして、出庫対象の薬品３１０の確定処理に係る利便性が向上する。
【０１０１】
＜返品出庫処理＞
返品出庫処理は、上記の出庫処理のうち、返品対象の薬品３１０に対して行われる処理であって、返品出庫処理のための処理手順は上記の出庫処理のための処理手順と実質的に同様である。
【０１０２】
先ず、薬品３１０の入出庫を管理するためのコマンドが入力部４２０に入力されると、制御装置４００は、表示部４６０に薬品３１０の「入庫」、「出庫」、「返品出庫」の何れかを選択するための画面（図２０Ａ）を表示させる。
【０１０３】
次に、作業者が「返品出庫」のボタンをクリックすると、制御装置４００は、表示部４６０に返品出庫操作画面（図２０Ｂ）を表示させる。作業者は、返品出庫操作画面の指示に従って、薬品保冷庫１００の扉１４０を開き、薬品収納ボックス２００内から返品出庫対象の全ての薬品３１０を取り出したら、薬品保冷庫１００の扉１４０を閉じる。
【０１０４】
次に、制御装置４００は、扉センサ１６０から閉信号を取得したため、アンテナ２２０（２３０）から薬品３１０のＩＤ情報を取得し、アンテナ２２０（２３０）から既存の薬品３１０のＩＤ情報を取得しなくなった場合、当該薬品３１０の情報をリスト表示（医薬品名、製造番号、使用期間、ＥＰＣコード等の項目）した返品出庫操作画面（図２０Ｃ）を表示させる。作業者は、返品出庫対象の全ての薬品３１０がリスト表示されていることを確認し、「返品出庫確定」のボタンをクリックする。これによって、制御装置４００は、返品出庫対象の全ての薬品３１０に係る情報を記憶装置７００に一括で記憶させる。このようにして、返品出庫対象の薬品３１０の確定処理に係る利便性が向上する。
【０１０５】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。例えば、ＩＣタグ３００は、制御装置４００からの指示に従って、薬品３１０に関する情報を修正又は更新することができるように、データの書き込み及び読み出しが可能なタグであってもよい。
【符号の説明】
【０１０６】
１  薬品管理システム
１００  薬品保冷庫
１１０  外箱
１２０  内箱
１３０  機械室
１４０  扉
１４１  窓ガラス
１４２  シート
１５０  温度センサ
１６０  扉センサ
１７０  コネクタ
２００，２００Ａ，２００Ｂ  薬品収納ボックス
２１０  収納部
２１１  底面板
２１２，２１３  側面板
２１４  背面板
２１５  通気孔
２２０，２３０  アンテナ
３００  ＩＣタグ
３１０  薬品
４００  制御装置
４１０  送受信部
４２０  入力部
４３０  計時部
４４０  制御部
４５０  記憶部
４６０  表示部
５００，６００，７００  記憶装置
【図１】
2020031499.tif 000003
【図２】
2020031499.tif 000004
【図３】
2020031499.tif 000005
【図４】
2020031499.tif 000006
【図５】
2020031499.tif 000007
【図６】
2020031499.tif 000008
【図７】
2020031499.tif 000009
【図８】
2020031499.tif 000010
【図９】
2020031499.tif 000011
【図１０】
2020031499.tif 000012
【図１１】
2020031499.tif 000013
【図１２】
2020031499.tif 000014
【図１３】
2020031499.tif 000015
【図１４】
2020031499.tif 000016
【図１５】
2020031499.tif 000017
【図１６】
2020031499.tif 000018
【図１７】
2020031499.tif 000019
【図１８Ａ】
2020031499.tif 000020
【図１８Ｂ】
2020031499.tif 000021
【図１８Ｃ】
2020031499.tif 000022
【図１９Ａ】
2020031499.tif 000023
【図１９Ｂ】
2020031499.tif 000024
【図１９Ｃ】
2020031499.tif 000025
【図２０Ａ】
2020031499.tif 000026
【図２０Ｂ】
2020031499.tif 000027
【図２０Ｃ】
2020031499.tif 000028
【国際調査報告】
2020031499.tif 000029
2020031499.tif 000030
2020031499.tif 000031
2020031499.tif 000032